(57)【要約】      （修正有）【課題】内部の密閉空間を縮小させず、従って圧縮効率の低下を招くことなく、装置の小型化を達成することができる圧縮機の提供。【解決手段】各分割ハウジング間の固定は、これらの組み合わせ部分間を溶接固定することで行われるため、従来のように、ボルト固定のためのフランジを各分割ハウジングの双方に突設させずにすむ。具体的には、フロントハウジング１１２及びリアハウジング１１１の各組み合わせ部分である各開口部１１２ａ，１１１ａ間を溶接で固定する構成を採用した。【選択図】  図１
2004211657.tif 000002
【特許請求の範囲】
【請求項１】
一対の分割ハウジングを組み合わせて内部に密閉空間を形成するハウジングと、該ハウジング内に配置され、前記密閉空間内に取り込まれた作動流体を圧縮する圧縮機構とを備えた圧縮機において、
前記圧縮機構は、外部動力により駆動する駆動部を有し、
前記各分割ハウジングの組み合わせ部分間が、溶接で固定されていることを特徴とする圧縮機。
【請求項２】
一対の分割ハウジングを組み合わせて内部に密閉空間を形成するハウジングと、該ハウジング内に配置され、前記密閉空間内に取り込まれた作動流体を圧縮する圧縮機構とを備えた圧縮機において、
前記圧縮機構は、外部動力により駆動する駆動部を有し、
前記各分割ハウジングの組み合わせ部分間には、これらのうちの一方に対して溶接固定されるとともに他方に対してシール材を介して密接する介在部品が設けられ、
前記他方の分割ハウジングに、この他方の分割ハウジングに対する前記介在部品の相対動作を規制する規制手段が設けられている
ことを特徴とする圧縮機。
【請求項３】
請求項２に記載の圧縮機において、
前記介在部品が溶接固定される側の分割ハウジングが、少なくとも、この介在部品が溶接される第１のケースと、該第１のケースに対して溶接固定される第２のケースとを備える分割構造を有することを特徴とする圧縮機。
【請求項４】
請求項１から請求項３の何れか１項に記載の圧縮機において、
前記各分割ハウジングのうちの少なくとも一方が、板金素材からなることを特徴とする圧縮機。
【発明の詳細な説明】
【０００１】
【発明の属する技術分野】
本発明は、空気調和機等に適用される圧縮機に関する。
【０００２】
【従来の技術】
圧縮機は、空気調和機や冷凍機等において、冷媒の圧縮機として広く用いられている。この種の従来の圧縮機の一例として、スクロール型圧縮機が下記特許文献１に開示されている。同様の構造を有する従来のスクロール型圧縮機について、図７を用いて説明する。
このスクロール型圧縮機は、フロントハウジング１及びリアハウジング２で構成されたハウジング３と、このハウジング３内の密閉空間に収容され、冷媒等の圧縮流体を圧縮するスクロール圧縮機構４と、このスクロール型圧縮機構４を駆動する回転軸５と、スクロール圧縮機構４等に潤滑油を供給する潤滑油供給ポンプ８とを備えて概略構成されている。ここで、回転軸５は、外部動力により駆動する駆動部として機能する。
【０００３】
スクロール型圧縮機構４は、固定スクロール部材６と、旋回スクロール部材７と、旋回スクロール部材７の公転旋回運動を許容するがその自転を阻止するオルダムリンク９等とから構成されている。
固定スクロール部材６は、固定端板６ａとその内面に立設された渦巻状壁体６ｂとを備え、固定端板６ａの中央付近には、吐出ポート６ａ１が形成されている。この吐出ポート６ａ１は、吐出弁６ａ２により開閉される。
【０００４】
旋回スクロール部材７は、旋回端板７ａとその内面に立設された渦巻状壁体７ｂとを備えている。旋回端板７ａの外面に立設されたボス７ａ１内には、偏心ブッシュ７ａ２が旋回軸受（図示せず）を介して回転自在に嵌合され、この偏心ブッシュ７ａ２に穿設された穴に、回転軸５の端部から突出した偏心ピン５ａが嵌合されている。
そして、固定スクロール部材６と旋回スクロール部材７とを相互に所定距離だけ偏心させ、かつ１８０度だけ角度をずらして噛み合わせることにより、複数の圧縮室Ｃが形成されるようになっている。
【０００５】
リアハウジング２は、内部にスクロール型圧縮機構４を収容し、その開口部に、フランジ２ａが形成されている。また、フロントハウジング１は、内部に回転軸５と潤滑油供給ポンプ８を収容しており、その開口部に、フランジ１ａが形成されている。そして、間にＯリング１０ａを挟み込んだ状態でフランジ１ａ，２ａを互いに重ね合わせ、さらにこれらを複数本のボルト１０で締結することにより、内部に密閉空間ｍを形成することが可能となっている。
【０００６】
以上説明の構成を有するスクロール型圧縮機によれば、図示されない駆動源からの回転力が回転軸５に伝達されると、旋回スクロール部材７が、自転を阻止されながら公転旋回運動する。このため、冷媒ガスは、フロントハウジング１の上部に形成された吸入ポート１ｂからフロントハウジング１内に一旦入り、密閉空間ｍを通ってスクロール型圧縮機構４の圧縮室Ｃ内に供給される。
【０００７】
そして、スクロール型圧縮機構４内に取り込まれた冷媒ガスは、旋回スクロール部材７の公転旋回運動により、各圧縮室Ｃの容積が減少するに伴って圧縮されながら中央部に至り、固定スクロール部材６の吐出ポート６ａ１より吐出弁６ａ２を押し開いて吐出キャビティ２ａに入り、この吐出キャビティ２ａに連通するようにリアハウジング２に形成された吐出ポート２ｂを経て、外部に吐出される。
【０００８】
【特許文献１】
特開２０００−３４６０６２号公報（図１）
【０００９】
【発明が解決しようとする課題】
ところで、この圧縮機は、例えば車両のエンジンルーム内などに、他の機器と共に設置されることから、極力、小型化されることが望まれている。しかしながら、ハウジング３の内部には、圧縮機構４などの各種部品が詰め込まれている上に、これ以上、密閉空間ｍを縮小させてしまうと、冷媒ガスが吸入口１ａから圧縮機構４に至る間の流路が狭まって圧力損失の増大を伴うため、圧縮効率の低下を招く虞がある。このような理由により、ハウジング３を単純に小型化することは困難とされていた。
【００１０】
本発明は、上記事情に鑑みてなされたものであり、圧縮効率の低下を招くことなく、装置の小型化を達成することができる圧縮機の提供を目的とする。
【００１１】
【課題を解決するための手段】
本発明は、上記課題を解決するために以下の手段を採用した。
すなわち、請求項１に記載の圧縮機は、一対の分割ハウジングを組み合わせて内部に密閉空間を形成するハウジングと、該ハウジング内に配置され、前記密閉空間内に取り込まれた作動流体を圧縮する圧縮機構とを備えた圧縮機において、前記圧縮機構が、外部動力により駆動する駆動部を有し、前記各分割ハウジングの組み合わせ部分間が、溶接で固定されていることを特徴とする。
【００１２】
上記請求項１に記載の圧縮機によれば、各分割ハウジング間の固定は、これらの組み合わせ部分間を溶接固定することで行われるため、従来のように、ボルト固定のためのフランジを各分割ハウジングの双方に突設させずに済む。これにより、フランジが不要となった分だけ、各分割ハウジング双方の外形寸法を従来構造よりも小さくすることができる。または、フランジを無くした分だけ、最大外形寸法を保ったまま、各分割ハウジングの寸法を大型化することもできる。
【００１３】
請求項２に記載の圧縮機は、一対の分割ハウジングを組み合わせて内部に密閉空間を形成するハウジングと、該ハウジング内に配置され、前記密閉空間内に取り込まれた作動流体を圧縮する圧縮機構とを備えた圧縮機において、前記圧縮機構が、外部動力により駆動する駆動部を有し、前記各分割ハウジングの組み合わせ部分間には、これらのうちの一方に対して溶接固定されるとともに他方に対してシール材を介して密接する介在部品が設けられ、前記他方の分割ハウジングに、この他方の分割ハウジングに対する前記介在部品の相対動作を規制する規制手段が設けられていることを特徴とする。
【００１４】
上記請求項２に記載の圧縮機によれば、各分割ハウジング間の固定は、一方の分割ハウジング及び介在部品間の溶接固定と、他方の分割ハウジングの規制手段に対する介在部品の相対位置固定とによって行われる。この固定において、従来のように、ボルト固定用のフランジを各分割ハウジングの双方に突設させずに済むものとなっている。これにより、フランジが不要となった分だけ、各分割ハウジング双方の外形寸法を従来構造よりも小さくすることができる。または、フランジを無くした分だけ、外形寸法を保ったまま、各分割ハウジングの寸法を大型化することもできる。
しかも、介在部品の材質として、一方の分割ハウジングとの溶接相性に優れたものを採用できるため、溶接箇所における良好な気密性を確保することも可能となる。
【００１５】
請求項３に記載の圧縮機は、請求項２に記載の圧縮機において、前記介在部品が溶接固定される側の分割ハウジングが、少なくとも、この介在部品が溶接される第１のケースと、該第１のケースに対して溶接固定される第２のケースとを備える分割構造を有することを特徴とする。
【００１６】
上記請求項３に記載の圧縮機によれば、各分割ハウジングによりハウジングを組み立てる際に、まず、第１のケースに対して介在部品を溶接固定する。続いて、この第１のケースに取り付けられた介在部品を、前記他方の分割ハウジングに対して、シール材を介して取り付ける。この時、介在部品は既に溶接済みとなっているので、シール材に対して溶接熱を加えることがない。続いて、第１のケースと第２のケースとの間を溶接固定することで、密閉空間を内部に有するハウジングの組み立てが完了する。
【００１７】
請求項４に記載の圧縮機は、請求項１から請求項３の何れか１項に記載の圧縮機において、前記各分割ハウジングのうちの少なくとも一方が、板金素材からなることを特徴とする。
【００１８】
上記請求項４に記載の圧縮機によれば、ハウジングの肉厚を薄くすることができる。これにより、同一外形寸法の場合には、密閉空間の容積をより大きくすることが可能となる。
【００１９】
【発明の実施の形態】
本発明の圧縮機の各実施形態について、図面を参照しながら以下に説明するが、本発明がこれらに限定解釈されるものでないことは勿論である。
まず、図１及び図２を参照しながら、本発明の第１実施形態について以下に説明する。なお、図１は、本実施形態の一例として、スクロール型圧縮機を示す断面図である。また、図２は、同スクロール型圧縮機の要部を示す図であって、図１のＡ部拡大図である。
【００２０】
図１に示すように、本実施形態のスクロール型圧縮機は、一対の分割ハウジング（後述のリアハウジング１１１とフロントハウジング１１２）を組み合わせて内部に密閉空間ｍを形成するハウジング１０１と、該ハウジング１０１内に配置され、密閉空間ｍ内に取り込まれた冷媒等の作動流体を圧縮するスクロール型圧縮機構１０２と、該スクロール型圧縮機構１０２を駆動する回転軸１０５と、該回転軸１０５の駆動により密閉空間ｍ内に潤滑油を供給する潤滑油供給ポンプ１０４と、スクロール型圧縮機構１０２のスラスト力を支持する旋回軸受け１１３とを備えて概略構成されている。
【００２１】
スクロール型圧縮機構１０２は、固定スクロール部材１０６、旋回スクロール部材１０７、旋回スクロール部材１０７の公転旋回運動を許容するがその自転を阻止するオルダムリンク１０９等から構成されている。
固定スクロール部材１０６は、固定端板１０６ａとその内面に立設された渦巻状壁体１０６ｂとを備え、固定端板１０６ａの中央付近には、吐出ポート１０６ａ１が形成されている。この吐出ポート１０６ａ１は、吐出弁１０６ａ２により開閉されるようになっている。そして、固定端板１０６ａの外面側には、吐出ポート１０６ａ１に連通する吐出キャビティＨを形成する背圧ブロック１０６ｃがボルト固定されている。この背圧ブロック１０６ｃには、吐出キャビティＨ内に吐出された高圧の冷媒ガスをハウジング１０１の外部に向かって導出する吐出管１０６ｄが接続されている。
【００２２】
旋回スクロール部材１０７は、旋回端板１０７ａとその内面に立設された渦巻状壁体１０７ｂとを備えている。旋回端板１０７ａの外面に立設されたボス１０７ａ１内には、偏心ブッシュ１０７ａ２が旋回軸受（図示せず）を介して回転自在に嵌合され、この偏心ブッシュ１０７ａ２に穿設された穴に、回転軸１０５の端部から突出した偏心ピン１０５ａが嵌合されている。
そして、固定スクロール部材１０６と旋回スクロール部材１０７とを相互に所定距離だけ偏心させ、かつ１８０度だけ角度をずらして噛み合わせることにより、複数の圧縮室Ｃが形成されるようになっている。
【００２３】
旋回軸受け１１３は、旋回スクロール部材１０７に作用するスラスト力を支持する軸受けであり、例えば３万時間レベルの長寿命を有する、耐摩耗性に優れた転がり軸受けやジャーナル軸受けが採用されている。このような長寿命型の軸受けはメンテナンスフリーであるため、本実施形態のスクロール型圧縮機（ハウジング１０１）は、メンテナンスのための分解が不要となっている。
【００２４】
ハウジング１０１は、スクロール型圧縮機構１０２を内部に収容するリアハウジング１１１と、回転軸１０５を軸支するフロントハウジング１１２とで構成されている。
フロントハウジング１１２は、おおよそ、従来の技術において説明した前記フロントハウジング１と同一形状を有するものであるが、その開口部１１２ａに前記フランジ１ａが形成されていない点が特徴的となっている。また、このフロントハウジング１１２には、冷媒ガスを吸入するための吸入ポート１１２ｂが形成されている。なお、このリアハウジング１１２には、スクロール型圧縮機構１０２の固定スクロール部材１０６と、旋回スクロール部材１０７のスラスト力を受ける旋回軸受け１１３とがボルト固定されている。
リアハウジング１１１は、従来の技術において説明した前記リアハウジング２よりも薄肉な板金素材からなる容器であり、しかも、その開口部１１１ａに、前記フランジ２ａを持たない点が特徴的となっている。
【００２５】
図２に示すように、これらリアハウジング１１１及びフロントハウジング１１２は、これらの間の組み合わせ部分である前記開口部１１１ａ，１１２ａ間が、溶接個所Ｗにおいて溶接固定されたものとなっている。具体的に言うと、リアハウジング１１１の開口部１１１ａは、フロントハウジング１１２の開口部１１２ａを周囲より隙間なく覆うように重ねられており、この重ね合わせ状態で、開口部１１１ａ，１１２ａ間を溶接により気密状態に接合している。なお、リアハウジング１１１は、その本体が開口部１１１ａよりも一段、細くなる段差部分１１１ｂを有しており、この段差部分１１１ｂに開口部１１２ａが当たることで、必要以上にフロントハウジング１１２がリアハウジング１１１内の奥深くまで入り込んでしまうのを防ぐことが可能となっている。
【００２６】
このように、フロントハウジング１１２及びリアハウジング１１１間の固定は、これらの開口部１１２ａ，１１１ａ間を溶接固定することで行われるため、従来のように、ボルト固定のためのフランジをフロントハウジング１１２及びリアハウジング１１１の双方に突設させずに済む（特に図２参照。）。これにより、フランジが不要となった分だけ、フロントハウジング１１２及びリアハウジング１１１の最大外形寸法（すなわち最大外径寸法）を従来構造よりも小さくできるものとなっている。
【００２７】
以上説明の構成を有するスクロール型圧縮機では、図示されない駆動源からの回転力が回転軸１０５に伝達されると、旋回スクロール部材１０７が自転を阻止されながら公転旋回運動する。このため、冷媒ガスは、吸入ポート１１２ｂからフロントハウジング１１２内に一旦入り、密閉空間ｍを通ってスクロール型圧縮機構１０２の圧縮室Ｃ内に供給される。
【００２８】
そして、スクロール型圧縮機構１０２では、この冷媒ガスが、旋回スクロール部材１０７の公転旋回運動により、各圧縮室Ｃの容積が減少するに伴って圧縮されながら中央部に至り、固定スクロール部材１０６の吐出ポート１０６ａ１より吐出弁１０６ａ２を押し開いて吐出キャビティＨ、さらには吐出管１０６ｄを通って外部に吐出される。なお、吐出キャビティＨ内に吐出された高圧の冷媒ガスは、密閉空間ｍから隔離された状態にあるので、リアハウジング１１１を内部から加圧することがない。これにより、薄肉な板金素材をリアハウジング１１１に適用することが可能となっている。
【００２９】
以上説明のように、本実施形態のスクロール型圧縮機は、フロントハウジング１１２及びリアハウジング１１１の組み合わせ部分間を溶接固定する構成を採用した。この構成によれば、従来のようなボルト締結用のフランジを設けずに済むので、装置外形の小型化を達成することが可能となる。しかも、密閉空間ｍを縮小せずに済むので、圧縮効率を低下させることもない。
逆に、フランジを無くした分だけ、フロントハウジング１１２及びリアハウジング１１１の寸法を大型化することも可能となる。すなわち、図２に示すように、例えば、従来構造のフランジ外形寸法に合わせてリアハウジング１１１の径寸法を大型化することができる（フロントハウジング１１２も同様。）。この場合には、内部に形成される密閉空間ｍの容積も増大させることができるため、ハウジング１０１内に取り込んだ冷媒ガスが密閉空間ｍを通ってスクロール型圧縮機構１０２に達するまでの圧力損失を極めて低減させることができ、さらなる圧縮効率の向上を達成することが可能となる。
【００３０】
また、本実施形態のスクロール型圧縮機は、リアハウジング１１１に板金素材を用いる構成を採用した。この構成によれば、従来の肉厚素材を用いる場合に比較して、ハウジング１０１内の密閉空間ｍの容積をより大きく確保することができる。これにより、ハウジング１０１内に取り込んだ冷媒ガスが密閉空間ｍを通ってスクロール型圧縮機構１０２に達するまでの圧力損失を低減させることができ、さらなる圧縮効率の向上を達成することが可能となる。
【００３１】
続いて、本発明の第２実施形態についての説明を、図３及び図４を参照しながら以下に説明を行う。なお、以下の説明においては、本実施形態の特徴点を中心に説明を行うものとし、その他構成要素については上記第１実施形態のスクロール型圧縮機と同様であるとして同一符号を用い、説明を省略する。
【００３２】
図３に示すように、本実施形態のスクロール型圧縮機は、フロントハウジング１１２及びリアハウジング１１１の組み合わせ部分間にリング１２１（介在部品）を介在させた点が、特に特徴的となっている。
図４に示すように、リング１２１は、前記開口部１１２ａの外周に形成されたリング取り付け溝１１２ａ１に対して嵌め込まれる内周面１２１ａと、前記開口部１１１ａの内周面に対して隙間なく嵌め込まれる外周面１２１ｂとを有する環状の金属部品である。このリング１２１の材質としては、リアハウジング１１１との溶接相性の良い材質（例えばリアハウジング１１１と同材質など）を選定することが好ましい。
【００３３】
そして、このリング１２１は、リアハウジング１１１の開口部１１１ａに対して溶接固定される（溶接箇所Ｗ）とともに、フロントハウジング１１２の開口部１１２ａに対してはＯリング１２２（シール材）を介して密接している。さらに、このリング１２１は、図３に示すボルト１２４（規制部材。複数本が用いられる。）により、フロントハウジング１１２に対して固定されている。これにより、フロントハウジング１１２に対するリング１２１の相対動作を規制することが可能となっている。したがって、フロントハウジング１１２とリアハウジング１１１との間は、相対移動不可に固定されている。
【００３４】
本実施形態のスクロール型圧縮機におけるハウジング１０１の組み立て方法について説明すると、まず、フロントハウジング１１２のリング取り付け溝１１２ａ１に対してリング１２１を嵌め込み、旋回軸受け１１３と共に各ボルト１２４で締結固定する。その後、リング１２１に対してリアハウジング１１１を嵌め込み、溶接固定する。この時、リング１２１の材質としてリアハウジング１１１との溶接相性に優れたものを採用しているため、溶接箇所における良好な気密性を確保することが可能となっている。このようにして、フロントハウジング１１２及びリアハウジング１１１間が固定され、ハウジング１０１の組み立てが完了する。
なお、この溶接固定に際しては、Ｏリング１２２に溶接熱が加わるので、シリコン等の耐熱性を有するものをＯリング１２２の材質に選定することが好ましい。さらには、リング取り付け溝１１２及びリング１２１間をシールするシール材としては、気密性と耐熱性との両方を有するものであれば良いので、Ｏリング１２２の他に、ガスケットを用いることも可能である。
【００３５】
本実施形態のスクロール型圧縮機においても、上記第１実施形態と同様の効果を得ることが可能である。すなわち、図４に示すように、従来のようなボルト締結用のフランジを設けずに済むので、装置の小型化を達成することが可能となる。しかも、密閉空間ｍを縮小せずに済むので、圧縮効率を低下させることもない。
逆に、フランジを無くした分だけ、リアハウジング１１１及びフロントハウジング１１２の寸法を大型化することも可能となる。この場合には、内部に形成される密閉空間ｍの容積も増大させることができるため、ハウジング１０１内に取り込んだ冷媒ガスが密閉空間ｍを通ってスクロール型圧縮機構に達するまでの圧力損失を極めて低減させることができ、さらなる圧縮効率の向上を達成することが可能となる。
【００３６】
続いて、本発明の第３実施形態についての説明を、図５及び図６を参照しながら以下に説明を行う。なお、以下の説明においては、本実施形態の特徴点を中心に説明を行うものとし、その他構成要素については上記第２実施形態のスクロール型圧縮機と同様であるとして同一符号を用い、説明を省略する。
【００３７】
本実施形態のスクロール型圧縮機は、前記リング１２１が溶接固定されるリアハウジング１１１が、第１ケース１１１Ａ（第１のケース）及び第２ケース１１１Ｂ（第２のケース）からなる二分割構造を有する点が、特に特徴的となっている。
図６に示すように、第１ケース１１１Ａは、板金素材からなる筒状の部品であり、前記リング１２１の外周面に対して隙間なく重ね合わせた状態で、溶接（溶接箇所Ｗ１）により気密状態に接合されている。なお、第１ケース１１１Ａは、その本体が一段、細くなる段差部分１１１Ａ１を有しており、このスクロール型圧縮機を組み立てる際に、必要以上にフロントハウジング１１２がリアハウジング１１１内の奥深くまで入り込んでしまうのを防ぐことが可能となっている。
【００３８】
第２ケース１１１Ｂは、第１ケース１１１Ａと同様に板金素材からなる容器状の部品であり、第１ケース１１１Ａの外周面に対して隙間なく重ね合わせた状態で、溶接（溶接箇所Ｗ２）により気密状態に接合されている。なお、第２ケース１１１Ｂは、その本体が一段、細くなる段差部分１１１Ｂ１を有しており、このスクロール型圧縮機を組み立てる際に、必要以上に第１ケース１１１Ａが第２ケース１１１Ｂ内の奥深くまで入り込んでしまうのを防ぐことが可能となっている。
【００３９】
本実施形態のスクロール型圧縮機におけるハウジング１０１の組み立て方法について説明すると、まず、第１ケース１１１Ａに対してリング１２１を溶接固定する。続いて、この第１ケース１１１Ａに取り付けられたリング１２１を、フロントハウジング１１２のリング取り付け溝１１２ａ１に対してＯリング１２２を介在させた状態で嵌め込み、前記各ボルト１２４で締結固定する。この時のリング１２１は、第１ケース１１１Ａに対して既に溶接済みとなっているので、Ｏリング１２２に対して溶接熱を加えることがない。さらに続いて、第１ケース１１１Ａに対して第２ケース１１１Ｂを嵌め合わせて溶接固定することで、ハウジング１０１の組み立てが完了する。
【００４０】
本実施形態のスクロール型圧縮機においても、上記第２実施形態と同様の効果が得られる上に、リング１２１を第１ケース１１１Ａに溶接固定する際の溶接熱をＯリング１２２に加えずに済むので、Ｏリング１２２の健全性を保つことが可能となる。また、同様の理由により、溶接熱を考慮して高耐熱性を備えた材質のＯリングを選択する必要もない。
【００４１】
なお、上記第１実施形態〜第３実施形態のスクロール型圧縮機では、リアハウジング１１１側のみに板金素材を用いる構成を採用したが、これに限らず、フロントハウジング１１２側にも板金素材を用いるものとしても良い。その場合には、回転軸１０５の軸受けをユニット化して、フロントハウジング１１２に溶接などの手段を用いて取り付けることが考えられる。
【００４２】
また、以上説明した実施形態では、圧縮機構としてスクロール型圧縮機構を用いた態様を説明したが、これに限られるものではなく、例えば、圧縮機構に、ロータリ型、スクリュー型、遠心型などを用いても、本発明は好適に機能する。
【００４３】
【発明の効果】
本発明の請求項１に記載の圧縮機は、各分割ハウジングの組み合わせ部分間を溶接で固定する構成を採用した。この構成によれば、従来のようなボルト締結用のフランジを各分割ハウジングに設けずに済むので、装置の小型化を達成することが可能となる。しかも、密閉空間を縮小せずに済むので、圧縮効率を低下させることもない。
また、フランジを無くした分だけ、各分割ハウジングの寸法を大型化することも可能となる。この場合には、内部に形成される密閉空間の容積も増大させることができるため、ハウジング内に取り込んだ作動流体が密閉空間を通って圧縮機構に達するまでの圧力損失を極めて低減させることができ、さらなる圧縮効率の向上を達成することが可能となる。
【００４４】
本発明の請求項２に記載の圧縮機は、各分割ハウジングの組み合わせ部分間に、これらの一方に対して溶接固定されるとともに他方に対してシール材を介して密接する介在部品を設け、他方の分割ハウジングに、介在部品の相対動作を規制する規制手段を設ける構成を採用した。この構成によれば、従来のようなボルト締結用のフランジを各分割ハウジングに設けずに済むので、装置の小型化を達成することが可能となる。しかも、密閉空間を縮小せずに済むので、圧縮効率を低下させることもない。
また、フランジを無くした分だけ、各分割ハウジングの寸法を大型化することも可能となる。この場合には、内部に形成される密閉空間の容積も増大させることができるため、ハウジング内に取り込んだ作動流体が密閉空間を通って圧縮機構に達するまでの圧力損失を極めて低減させることができ、さらなる圧縮効率の向上を達成することが可能となる。
しかも、介在部品の材質として、一方の分割ハウジングとの溶接相性に優れたものを採用できるため、溶接箇所における良好な気密性を確保することが可能となる。
【００４５】
また、請求項３に記載の圧縮機は、介在部品が溶接される第１のケースと、この第１のケースに対して溶接固定される第２のケースとを備える分割構造を採用した。この構成によれば、介在部品を第１のケースに溶接固定する際の溶接熱をシール材に加えずに済むので、シール材の健全性を保つことが可能となる。また、同様の理由により、溶接熱を考慮して高耐熱性を備えたシール材を選択する必要もない。
【００４６】
また、請求項４に記載の圧縮機は、各分割ハウジングのうちの少なくとも一方に板金素材を用いる構成を採用した。この構成によれば、ハウジング内の密閉空間の容積をより大きくすることができる。これにより、ハウジング内に取り込んだ作動流体が密閉空間を通って圧縮機構に達するまでの圧力損失を低減させることができ、さらなる圧縮効率の向上を達成することが可能となる。
【図面の簡単な説明】
【図１】本発明の圧縮機の第１実施形態を示す断面図である。
【図２】同圧縮機の要部を示す図であって、図１のＡ部拡大図である。
【図３】本発明の圧縮機の第２実施形態を示す断面図である。
【図４】同圧縮機の要部を示す図であって、図３のＢ部拡大図である。
【図５】本発明の圧縮機の第１実施形態を示す断面図である。
【図６】同圧縮機の要部を示す図であって、図５のＤ部拡大図である。
【図７】従来の圧縮機の一例を示す断面図である。
【符号の説明】
１０１・・・ハウジング
１０２・・・スクロール型圧縮機構（圧縮機構）
１１１・・・リアハウジング（分割ハウジング）
１１１Ａ・・・第１ケース（第１のケース）
１１１Ｂ・・・第２ケース（第２のケース）
１１２・・・フロントハウジング（分割ハウジング）
１２１・・・リング（介在部品）
１２４・・・ボルト（規制手段）
ｍ・・・密閉空間
【図１】
2004211657.tif 000003
【図２】
2004211657.tif 000004
【図３】
2004211657.tif 000005
【図４】
2004211657.tif 000006
【図５】
2004211657.tif 000007
【図６】
2004211657.tif 000008
【図７】
2004211657.tif 000009